(57)【要約】【課題】各システムに切替える時間の短縮と操作性の向上とを図り、消費電流を削減可能な携帯電話端末を提供する。【解決手段】ＰＤＣ網１００及びＩＭＴ網２００のＢＳ６１〜６３，７１〜７３はＩＭＴ／ＰＤＣ  ＢＣＣＨ制御部２でＰＤＣ無線システム及びＩＭＴ無線システムそれぞれのシステムのＢＣＣＨの配置を決めるため、ＲＳＳＩのレベル測定を行い、空きチャネル情報にしたがって最適化を行う。ＩＭＴ／ＰＤＣ  ＢＣＣＨ制御部２はＰＤＣ無線システム及びＩＭＴ無線システムのシステム間のクロック同期をとるとともに、ＢＣＣＨによって端末側に隣接セルのＢＣＣＨ送信周波数、相対タイミングを報知する。【選択図】      図１
2004159115.tif 000002
【特許請求の範囲】
【請求項１】
各々異なる第１及び第２の移動無線通信方式の無線信号の送受信を行う第１及び第２の無線機を含み、前記第１及び第２の無線機を切替えて通信を行う携帯電話端末であって、自端末が在圏するセルから隣接セルへの切替え時に前記第１及び第２の移動無線通信方式の無線信号の待ち受け状態で自端末が在圏するセルの制御周波数の電界レベルを測定する測定手段と、前記測定手段でレベル劣化が検出された時に当該セルのシステム制御情報の報知に使用する下りチャネルであるＢＣＣＨ（Ｂｒｏａｄｃａｓｔ  Ｃｏｎｔｒｏｌ  Ｃｈａｎｎｅｌ）を受信する受信手段と、前記受信手段で受信したＢＣＣＨから前記隣接セルのＢＣＣＨ送信周波数及び前記第１の移動無線通信方式の前記ＢＣＣＨの送信タイミングと前記第２の移動無線通信方式の前記ＢＣＣＨの送信タイミングとの相対値を示す相対タイミングを取得する取得手段とを有し、前記取得手段で取得した前記隣接セルのＢＣＣＨ送信周波数及び相対タイミングを基に前記第１及び第２の無線機の切替えを行うことを特徴とする携帯電話端末。
【請求項２】
前記隣接セル各々の前記ＢＣＣＨ送信周波数及び相対タイミングを保持する隣接セルリストを含み、前記取得手段で取得した前記隣接セルのＢＣＣＨ送信周波数及び相対タイミングを基に前記隣接セルリストの並び替えによって最新の情報に更新することを特徴とする請求項１記載の携帯電話端末。
【請求項３】
前記隣接セルリストの内容に基づいて前記ＢＣＣＨの検索を行うことを特徴とする請求項２記載の携帯電話端末。
【請求項４】
前記隣接セルリストの内容に基づいて前記第１及び第２の無線機各々への電源投入時間を決定することを特徴とする請求項２または請求項３記載の携帯電話端末。
【請求項５】
前記第１の移動無線通信方式がＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）であり、前記第２の移動無線通信方式がＰＤＣ（Ｐｅｒｓｏｎａｌ  Ｄｉｇｉｔａｌ  Ｃｅｌｌｕｌａｒ）であることを特徴とする請求項１から請求項５のいずれか記載の携帯電話端末。
【請求項６】
各々携帯電話端末が異なる第１及び第２の移動無線通信方式の無線信号の送受信を行うための複数の基地局を含む第１及び第２の移動無線通信システムからなるデュアルバンド携帯電話システムであって、
前記複数の基地局各々からの前記第１及び第２の移動無線通信システムにおけるＲＳＳＩ（Ｒｅｃｅｉｖｅ  Ｓｉｇｎａｌ  Ｓｔｒｅｎｇｔｈ  Ｉｎｄｉｃａｔｉｏｎ）のレベル測定結果を基に前記第１及び第２の移動無線通信システム各々のシステム制御情報の報知に使用する下りチャネルであるＢＣＣＨ（Ｂｒｏａｄｃａｓｔ  Ｃｏｎｔｒｏｌ  Ｃｈａｎｎｅｌ）の配置を決めるＢＣＣＨ制御手段を有することを特徴とするデュアルバンド携帯電話システム。
【請求項７】
前記ＢＣＣＨ制御手段は、前記第１及び第２の移動無線通信システムのシステム間のクロック同期をとるとともに、前記第１の移動無線通信方式の前記ＢＣＣＨの送信タイミングと前記第２の移動無線通信方式前記ＢＣＣＨの送信タイミングとの相対値を示す相対タイミング及びＢＣＣＨ送信周波数を前記携帯電話端末に報知することを特徴とする請求項６記載のデュアルバンド携帯電話システム。
【請求項８】
前記ＢＣＣＨ制御手段は、前記ＲＳＳＩのレベル測定結果を基に空きチャネル情報にしたがって前記ＢＣＣＨの配置の最適化を行うことを特徴とする請求項６または請求項７記載のデュアルバンド携帯電話システム。
【請求項９】
前記複数の基地局は、前記ＢＣＣＨの送信タイミングの相対値を共有することを特徴とする請求項６から請求項８のいずれか記載のデュアルバンド携帯電話システム。
【請求項１０】
前記第１の移動無線通信方式がＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）であり、前記第２の移動無線通信方式がＰＤＣ（Ｐｅｒｓｏｎａｌ  Ｄｉｇｉｔａｌ  Ｃｅｌｌｕｌａｒ）であることを特徴とする請求項６から請求項９のいずれか記載のデュアルバンド携帯電話システム。
【請求項１１】
各々異なる第１及び第２の移動無線通信方式の無線信号の送受信を行う第１及び第２の無線機を含み、前記第１及び第２の無線機を切替えて通信を行う携帯電話端末のデュアルバンド切替方法であって、自端末が在圏するセルから隣接セルへの切替え時に前記第１及び第２の移動無線通信方式の無線信号の待ち受け状態で自端末が在圏するセルの制御周波数の電界レベルを測定するステップと、その電界レベルの測定でレベル劣化が検出された時に当該セルのシステム制御情報の報知に使用する下りチャネルであるＢＣＣＨ（Ｂｒｏａｄｃａｓｔ  Ｃｏｎｔｒｏｌ  Ｃｈａｎｎｅｌ）を受信するステップと、この受信したＢＣＣＨから前記隣接セルのＢＣＣＨ送信周波数及び前記第１の移動無線通信方式の前記ＢＣＣＨの送信タイミングと前記第２の移動無線通信方式前記ＢＣＣＨの送信タイミングとの相対値を示す相対タイミングを取得するステップとを有し、その取得した前記隣接セルのＢＣＣＨ送信周波数及び相対タイミングを基に前記第１及び第２の無線機の切替えを行うことを特徴とするデュアルバンド切替方法。
【請求項１２】
取得した前記隣接セルのＢＣＣＨ送信周波数及び相対タイミングを基に、前記隣接セル各々の前記ＢＣＣＨ送信周波数及び相対タイミングを保持する隣接セルリストの並び替えによって最新の情報に更新することを特徴とする請求項１１記載のデュアルバンド切替方法。
【請求項１３】
前記隣接セルリストの内容に基づいて前記ＢＣＣＨの検索を行うことを特徴とする請求項１２記載の携帯電話端末。
【請求項１４】
前記隣接セルリストの内容に基づいて前記第１及び第２の無線機各々への電源投入時間を決定することを特徴とする請求項１２または請求項１３記載のデュアルバンド切替方法。
【請求項１５】
前記第１の移動無線通信方式がＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）であり、前記第２の移動無線通信方式がＰＤＣ（Ｐｅｒｓｏｎａｌ  Ｄｉｇｉｔａｌ  Ｃｅｌｌｕｌａｒ）であることを特徴とする請求項１１から請求項１４のいずれか記載のデュアルバンド切替方法。
【請求項１６】
各々異なる第１及び第２の移動無線通信方式の無線信号の送受信を行う第１及び第２の無線機を含み、前記第１及び第２の無線機を切替えて通信を行う携帯電話端末のデュアルバンド切替方法のプログラムであって、コンピュータに、自端末が在圏するセルから隣接セルへの切替え時に前記第１及び第２の移動無線通信方式の無線信号の待ち受け状態で自端末が在圏するセルの制御周波数の電界レベルを測定する処理と、その電界レベルの測定でレベル劣化が検出された時に当該セルのシステム制御情報の報知に使用する下りチャネルであるＢＣＣＨ（Ｂｒｏａｄｃａｓｔ  Ｃｏｎｔｒｏｌ  Ｃｈａｎｎｅｌ）を受信する処理と、この受信したＢＣＣＨから前記隣接セルのＢＣＣＨ送信周波数及び前記第１の移動無線通信方式の前記ＢＣＣＨの送信タイミングと前記第２の移動無線通信方式前記ＢＣＣＨの送信タイミングとの相対値を示す相対タイミングを取得する処理とを実行させ、その取得した前記隣接セルのＢＣＣＨ送信周波数及び相対タイミングを基に前記第１及び第２の無線機の切替えを行わせるためのプログラム。
【発明の詳細な説明】
【０００１】
【発明の属する技術分野】
本発明は携帯電話端末、デュアルバンド携帯電話システム及びそれらに用いるデュアルバンド切替方法に関し、特に第３世代の携帯電話システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）機能及び既存の携帯電話システムであるＰＤＣ（Ｐｅｒｓｏｎａｌ  Ｄｉｇｉｔａｌ  Ｃｅｌｌｕｌａｒ）機能の両方を備える携帯電話端末に関する。
【０００２】
【従来の技術】
第３世代の携帯電話システムであるＩＭＴ機能と、既存の携帯電話システムであるＰＤＣ機能との両方を備える端末においては、無線システムの違いからそれぞれ無線部を持つ必要がある（例えば、特許文献１〜３参照）。
【０００３】
ＩＭＴ機能とＰＤＣ機能とを持つデュアルバンド携帯電話端末の開発に当たり、ＩＭＴ切替え時間の短縮は商品力にとっても大きな要因となり、それらＩＭＴ無線信号とＰＤＣ無線信号とを同時に待受けた場合、ＩＭＴ無線機とＰＤＣ無線機とを同時に動作させる必要があり、消費電流に影響がある。
【０００４】
また、この種の異なる無線システムの切替え方法としては、２つのシステム制御周波数を記憶し、サービスエリア外に移動した場合、メモリに予め保持してある、制御周波数に基づいてセルの検索動作を行い、メモリに予め保持している周波数がない場合に全制御周波数のスキャンを実施する方法がある（例えば、特許文献４参照）。
【０００５】
これによって、上記の無線システムの切替え方法では、リスト内に制御チャネル情報があれば、スキャン動作を省略することができ、消費電流の軽減及び切替えの高速化が可能になる。
【０００６】
【特許文献１】
特開昭６３−２０３０２５号公報（第８〜１２頁、図１）
【特許文献２】
特開平０５−１０２９２３号公報（第２〜４頁、図２）
【特許文献３】
特開平０９−０５１３２１号公報（第３〜６頁、図１）
【特許文献４】
特開平１１−２９８９６４号公報（第５，６頁、図１）
【０００７】
【発明が解決しようとする課題】
上述した従来の携帯電話システムでは、ＩＭＴ無線システムとＰＤＣ無線システムとを切替える時、それらＩＭＴ無線信号とＰＤＣ無線信号とを同時に待受ける場合、ＩＭＴ無線機とＰＤＣ無線機とを同時に動作させる必要があるので、消費電流が増加し、待ち受け時間が短かくなってしまうという問題がある。携帯電話端末においては消費電流の増加が商品力の低下につながり、大きな問題となる。
【０００８】
そこで、本発明の目的は上記の問題点を解消し、ＩＭＴ無線システムとＰＤＣ無線システムとを切替える時間の短縮と操作性の向上とを図ることができ、消費電流を削減することができる携帯電話端末、デュアルバンド携帯電話システム及びそれらに用いるデュアルバンド切替方法を提供することにある。
【０００９】
【課題を解決するための手段】
本発明による携帯電話端末は、各々異なる第１及び第２の移動無線通信方式の無線信号の送受信を行う第１及び第２の無線機を含み、前記第１及び第２の無線機を切替えて通信を行う携帯電話端末であって、自端末が在圏するセルから隣接セルへの切替え時に前記第１及び第２の移動無線通信方式の無線信号の待ち受け状態で自端末が在圏するセルの制御周波数の電界レベルを測定する測定手段と、前記測定手段でレベル劣化が検出された時に当該セルのシステム制御情報の報知に使用する下りチャネルであるＢＣＣＨ（Ｂｒｏａｄｃａｓｔ  ＣｏｎｔｒｏｌＣｈａｎｎｅｌ）を受信する受信手段と、前記受信手段で受信したＢＣＣＨから前記隣接セルのＢＣＣＨ送信周波数及び前記第１の移動無線通信方式の前記ＢＣＣＨの送信タイミングと前記第２の移動無線通信方式前記ＢＣＣＨの送信タイミングとの相対値を示す相対タイミングを取得する取得手段とを備え、前記取得手段で取得した前記隣接セルのＢＣＣＨ送信周波数及び相対タイミングを基に前記第１及び第２の無線機の切替えを行っている。
【００１０】
本発明によるデュアルバンド携帯電話システムは、各々携帯電話端末が異なる第１及び第２の移動無線通信方式の無線信号の送受信を行うための複数の基地局を含む第１及び第２の移動無線通信システムからなるデュアルバンド携帯電話システムであって、
前記複数の基地局各々からの前記第１及び第２の移動無線通信システムにおけるＲＳＳＩ（Ｒｅｃｅｉｖｅ  Ｓｉｇｎａｌ  Ｓｔｒｅｎｇｔｈ  Ｉｎｄｉｃａｔｉｏｎ）のレベル測定結果を基に前記第１及び第２の移動無線通信システム各々のシステム制御情報の報知に使用する下りチャネルであるＢＣＣＨ（Ｂｒｏａｄｃａｓｔ  Ｃｏｎｔｒｏｌ  Ｃｈａｎｎｅｌ）の配置を決めるＢＣＣＨ制御手段を備えている。
【００１１】
本発明によるデュアルバンド切替方法は、各々異なる第１及び第２の移動無線通信方式の無線信号の送受信を行う第１及び第２の無線機を含み、前記第１及び第２の無線機を切替えて通信を行う携帯電話端末のデュアルバンド切替方法であって、自端末が在圏するセルから隣接セルへの切替え時に前記第１及び第２の移動無線通信方式の無線信号の待ち受け状態で自端末が在圏するセルの制御周波数の電界レベルを測定するステップと、その電界レベルの測定でレベル劣化が検出された時に当該セルのシステム制御情報の報知に使用する下りチャネルであるＢＣＣＨ（Ｂｒｏａｄｃａｓｔ  Ｃｏｎｔｒｏｌ  Ｃｈａｎｎｅｌ）を受信するステップと、この受信したＢＣＣＨから前記隣接セルのＢＣＣＨ送信周波数及び前記第１の移動無線通信方式の前記ＢＣＣＨの送信タイミングと前記第２の移動無線通信方式前記ＢＣＣＨの送信タイミングとの相対値を示す相対タイミングを取得するステップとを備え、その取得した前記隣接セルのＢＣＣＨ送信周波数及び相対タイミングを基に前記第１及び第２の無線機の切替えを行っている。
【００１２】
本発明によるデュアルバンド切替方法のプログラムは、各々異なる第１及び第２の移動無線通信方式の無線信号の送受信を行う第１及び第２の無線機を含み、前記第１及び第２の無線機を切替えて通信を行う携帯電話端末のデュアルバンド切替方法のプログラムであって、コンピュータに、自端末が在圏するセルから隣接セルへの切替え時に前記第１及び第２の移動無線通信方式の無線信号の待ち受け状態で自端末が在圏するセルの制御周波数の電界レベルを測定する処理と、その電界レベルの測定でレベル劣化が検出された時に当該セルのシステム制御情報の報知に使用する下りチャネルであるＢＣＣＨ（Ｂｒｏａｄｃａｓｔ  Ｃｏｎｔｒｏｌ  Ｃｈａｎｎｅｌ）を受信する処理と、この受信したＢＣＣＨから前記隣接セルのＢＣＣＨ送信周波数及び前記第１の移動無線通信方式の前記ＢＣＣＨの送信タイミングと前記第２の移動無線通信方式前記ＢＣＣＨの送信タイミングとの相対値を示す相対タイミングを取得する処理とを実行させ、その取得した前記隣接セルのＢＣＣＨ送信周波数及び相対タイミングを基に前記第１及び第２の無線機の切替えを行わせている。
【００１３】
すなわち、本発明のデュアルバンド携帯電話システムは、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）無線システム及びＰＤＣ（Ｐｅｒｓｏｎａｌ  Ｄｉｇｉｔａｌ  Ｃｅｌｌｕｌａｒ）無線システムの両システムの待ち受け時におけるＩＭＴ無線信号及びＰＤＣ無線信号の受信方法と、ＩＭＴ無線機及びＰＤＣ無線機に対する電源制御方法とに関し、システム制御情報の報知に使用する下りチャネルであるＢＣＣＨ（Ｂｒｏａｄｃａｓｔ  Ｃｏｎｔｒｏｌ  Ｃｈａｎｎｅｌ）の送信タイミングの相対値をそれぞれＩＭＴ無線システム及びＰＤＣ無線システムのＢＳ（Ｂａｓｅ  Ｓｔａｔｉｏｎ：基地局）で共有し、スキャン動作の省略を図るとともに、ＢＣＣＨの検索時間が省略可能となる。このことによって、本発明では、切替えの高速化及び処理時間の短縮が可能となる。
【００１４】
本発明の携帯電話端末は、ＩＭＴ無線システム及びＰＤＣ無線システムのＢＣＣＨの同期をとり、ＢＣＣＨの送信配置の制御を行い、ＢＣＣＨの送信タイミングを端末に送信している。
【００１５】
これによって、本発明の携帯電話端末では、自端末において各システムに切替える時間が短縮可能となり、操作性の向上を図ることが可能となる。また、本発明の携帯電話端末では、チャネルスキャン処理後のＢＣＣＨ取得のために、ＩＭＴ無線信号及びＰＤＣ無線信号の連続受信処理を省略することが可能となり、消費電流の削減が可能となる。
【００１６】
【発明の実施の形態】
次に、本発明の実施例について図面を参照して説明する。図１は本発明の一実施例によるデュアルバンド携帯電話システムの構成を示すブロック図である。図１において、本発明の一実施例によるデュアルバンド携帯電話システムはＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）無線システムと、ＰＤＣ（Ｐｅｒｓｏｎａｌ  Ｄｉｇｉｔａｌ  Ｃｅｌｌｕｌａｒ）無線システムとからなる。
【００１７】
ＰＤＣ無線システムはＰＤＣ  ＭＳＣ（Ｍｏｂｉｌｅ  Ｓｗｉｔｃｈｉｎｇ  Ｃｅｎｔｅｒ：移動通信交換局）１と、ＩＭＴ／ＰＤＣ  ＢＣＣＨ（Ｂｒｏａｄｃａｓｔ  Ｃｏｎｔｒｏｌ  Ｃｈａｎｎｅｌ：報知情報）制御部２と、ＰＤＣ網１００のＢＳ（Ｂａｓｅ  Ｓｔａｔｉｏｎ：基地局）６１〜６３とから構成されている。
【００１８】
ＩＭＴ無線システムはＩＭＴ  ＲＮＣ（Ｒａｄｉｏ  Ｎｅｔｗｏｒｋ  Ｃｏｎｔｒｏｌｌｅｒ）３と、ＩＭＴ  ＭＳＣ４と、ＩＭＴ／ＰＤＣ  ＢＣＣＨ制御部２と、ＩＭＴ  ＰＤＳＮ（Ｐａｃｋｅｔ  Ｄａｔａ  Ｓｅｒｖｉｎｇ  Ｎｏｄｅ）５と、ＩＭＴ網２００のＢＳ７１〜７３とから構成されている。
【００１９】
本実施例では、ＩＭＴ／ＰＤＣ  ＢＣＣＨ制御部２で、ＰＤＣ無線システム及びＩＭＴ無線システムそれぞれのシステムのシステム制御情報の報知に使用する下りチャネルであるＢＣＣＨの配置を決めるため、ＰＤＣ網１００のＢＳ６１〜６３及びＩＭＴ網２００のＢＳ７１〜７３各々にてＲＳＳＩ（Ｒｅｃｅｉｖｅ  Ｓｉｇｎａｌ  Ｓｔｒｅｎｇｔｈ  Ｉｎｄｉｃａｔｉｏｎ）のレベル測定を行い、空きチャネル情報にしたがってＢＣＣＨの配置の最適化を行う。
【００２０】
また、ＩＭＴ／ＰＤＣ  ＢＣＣＨ制御部２ではＰＤＣ無線システム及びＩＭＴ無線システムのシステム間のクロック同期をとる。さらに、ＩＭＴ／ＰＤＣ  ＢＣＣＨ制御部２ではＢＣＣＨによって端末側に隣接セルのＢＣＣＨ送信周波数、相対タイミングを報知する。
【００２１】
図２は本発明の一実施例によるデュアルバンド携帯電話端末の構成を示すブロック図である。図２において、本発明の一実施例によるデュアルバンド携帯電話端末はＩＭＴ機能とＰＤＣ機能とを備えている。つまり、本発明の一実施例によるデュアルバンド携帯電話端末はＰＤＣ無線部１１と、ＩＭＴ無線部１２と、送受信タイミング制御部１３と、ＰＤＣ無線プロトコル制御部１４と、ＩＭＴ無線制御プロトコル制御部１５と、ＭＭＩ（Ｍａｎ  Ｍａｃｈｉｎｅ  Ｉｎｔｅｒｆａｃｅ）制御部１６と、上記の各制御部で実行されるプログラム（コンピュータで実行可能なプログラム）を格納する記録媒体１７とから構成されている。
【００２２】
ＰＤＣ無線システムにおいては、ＰＤＣ無線プロトコル制御部１４が送受信タイミング制御部１３を介してＰＤＣ無線部１１とＩＭＴ無線部１２とを制御することによって通信を行う。ＩＭＴ無線システムについては、ＩＭＴ無線制御プロトコル制御部１５が送受信タイミング制御部１３を介してＰＤＣ無線部１１とＩＭＴ無線部１２とを制御することによって通信を行う。ＭＭＩ制御部１６についてはＩＭＴ／ＰＤＣ共通の制御となる。
【００２３】
本発明の一実施例によるデュアルバンド携帯電話端末はＩＭＴ／ＰＤＣ  ＢＣＣＨ制御部２からのＢＣＣＨを受信し、隣接セルのＢＣＣＨに関してＲＳＳＩの監視を行い、電界レベルの高いセルを一定周期毎にモニタする。
【００２４】
図３はＢＣＣＨの配置タイミングを示す図である。図３において、ＩＭＴにおける自走クロックを１０ｍｓとし、ＰＤＣにおける自走クロックを２０ｍｓとすると、２１はＩＭＴのＢＣＣＨの送信タイミングを示し、１０ｍｓ毎にＢＣＣＨを受信することとなる。
【００２５】
一方、２２はＰＤＣのＢＣＣＨの送信タイミングを示す。ＰＤＣのＢＣＣＨの受信は１スーパフレーム毎に送信されているため、２０×ｎ（ｎはシステムによって決められる値）で決められる。ＩＭＴにおいては１０ｍｓ毎にＢＣＣＨを受信するため、１０×ｎでＰＤＣのＢＣＣＨ位置を保持する。ＰＤＣにおいては、ＩＭＴのＢＣＣＨが１０ｍｓ毎に送信されているため、タイミングの保持は必要ない。
【００２６】
送受信タイミング制御部１３は相対タイミング値として、複数チャネルのタイミングを保持し、ＰＤＣ無線システム及びＩＭＴ無線システムの切替え時に、システム各々の自走タイミングから相対時間だけずらしたタイミングに切替え、そのタイミングでＢＣＣＨの検索を行う。そのため、送受信タイミング制御部１３ではＩＭＴ無線信号及びＰＤＣ無線信号の連続受信を行わず、ＩＭＴ無線信号及びＰＤＣ無線信号の単発受信によってＢＣＣＨの受信、つまりＩＭＴのＢＣＣＨの送信タイミング２１、ＰＤＣのＢＣＣＨの送信タイミング２２でのＢＣＣＨの受信が可能となる。
【００２７】
現行のＰＤＣ無線システムにおいては、待ち受けにおけるセル移動が一度、圏外に流出すると、隣接セルのＲＳＳＩのスキャンを再度行うことで、ＢＣＣＨ検索を実施している。
【００２８】
一方、ＩＭＴ無線システムにおいては、電界の強いチャネルのＲＳＳＩのスキャンが、待ち受けにおいて一定周期で行われ、切替えにＢＣＣＨの検索を実施していることから、切替え時の処理速度は向上している。
【００２９】
しかしながら、ＰＤＣ無線システム及びＩＭＴ無線システムの両システムともに、ＢＣＣＨの送信位置については、ＢＣＣＨ検索時に、ＰＤＣ無線部１１とＩＭＴ無線部１２とを連続的に動作させ、ＢＣＣＨの検索を行っているため、切替え時の処理時間、消費電流が技術的課題となっている。
【００３０】
本実施例ではＩＭＴ／ＰＤＣ  ＢＣＣＨ制御部２と送受信タイミング制御部１３とを現行のシステムに追加し、上記のような制御を行っているので、ＢＣＣＨの検索処理を省略することができ、切替え時の処理速度の向上と消費電流の削減とを図ることが可能となる。
【００３１】
図４及び図５は本発明の一実施例によるＰＤＣ無線システム及びＩＭＴ無線システムの切替え処理を示すフローチャートである。これら図１〜図５を参照して本発明の一実施例によるセルの切替え時におけるＰＤＣ無線システム及びＩＭＴ無線システムの切替え処理について説明する。尚、図４及び図５に示す処理は送受信タイミング制御部１３が記録媒体１７のプログラムを実行することで実現される。
【００３２】
自端末が在圏するセルから隣接セルへの切替え時、送受信タイミング制御部１３はＰＤＣ無線信号またはＩＭＴ無線信号の待ち受け状態で自端末が在圏するセルの制御周波数の電界レベルを測定し、レベル劣化を検出した場合（図４ステップＳ１）、再度、自端末が在圏するセルのＢＣＣＨの受信を行う（図４ステップＳ２）。
【００３３】
送受信タイミング制御部１３は受信ＯＫの場合（図４ステップＳ３）、隣接セルのＢＣＣＨ送信周波数及び相対タイミングの取得を行い、そのＢＣＣＨ送信周波数及び相対タイミングを基に隣接セルリストの並び替えよって最新の情報に更新する（図４ステップＳ４）。送受信タイミング制御部１３は受信がＮＧの場合、隣接セルリストの並び替えを行わない。
【００３４】
ここで、隣接セルリストとは隣接セル各々のＢＣＣＨ送信周波数及び相対タイミングを保持するリストである。また、隣接セルリストの更新は最新のＢＣＣＨの配置情報を取得し、システム間でのセル移行をスムーズにさせるためである。
【００３５】
送受信タイミング制御部１３は作成したリスト内にＩＭＴのＢＣＣＨが存在するかを確認し（図４ステップＳ５）、ＩＭＴがある場合、現在の待ち受けシステムがＰＤＣかを確認する（図４ステップＳ６）。送受信タイミング制御部１３はＰＤＣの場合、ＩＭＴの周波数帯域のチャネル定義にしたがってシンセサイザの切替えを行い、周波数の切替えを実施する（図４ステップＳ７）。また、送受信タイミング制御部１３はＰＤＣの場合、周波数が１チャネルなので、周波数の切替えを行わない。
【００３６】
送受信タイミング制御部１３は上記の周波数の切替え判断と、システム及び周波数の切替えとを実施すると、隣接セルのＢＣＣＨの受信を行うため、タイミング切替え処理にて、自走クロックを基準に受信タイミングを変更する（図４ステップＳ８）。その後、送受信タイミング制御部１３は周波数及びタイミングを切替えてＢＣＣＨの受信を行う（図４ステップＳ９）。
【００３７】
送受信タイミング制御部１３はＩＭＴのシステムがなかった場合、上記の隣接セルリストの並び替えで作成したリストに隣接セル情報があるかを確認する（図５ステップＳ１３）。送受信タイミング制御部１３は隣接セル情報があれば、待ち受け中のセルがＩＭＴかを確認し（図５ステップＳ１４）、ＩＭＴの場合、ＰＤＣへシステムを変更する。
【００３８】
このため、送受信タイミング制御部１３は無線機の切替えを実施し、システム及び周波数の変更を実施する（図５ステップＳ１５）。送受信タイミング制御部１３は待ち受けセルがＰＤＣの場合、無線機及び周波数の切替えを行わない。この後、送受信タイミング制御部１３はタイミング切替え処理を実施し（図５ステップＳ１６）、ＢＣＣＨの受信を実施する（図４ステップＳ９）。
【００３９】
送受信タイミング制御部１３はＢＣＣＨ受信動作を実施後、受信ＯＫの場合（図４ステップＳ１０）、待ち受け処理に移行する（図４ステップＳ１１）。送受信タイミング制御部１３は受信ＮＧの場合（図４ステップＳ１０）、次のチャネルを選択し（図４ステップＳ１２）、ステップＳ５に戻って上記の処理を繰り返し実施する。
【００４０】
送受信タイミング制御部１３はステップＳ１３において隣接セル情報がなくなった場合、圏外処理へ移行する（図４ステップＳ１７）。ステップＳ１１の待ち受け処理は、ＲＣＲ（電波システム開発センタ）、３ＧＰＰ（３ｒｄ  Ｇｅｎｅｒａｔｉｏｎ  Ｐａｒｔｎｅｒｓｈｉｐ  Ｐｒｏｊｅｃｔ）ですでに規定されている手順にしたがって実施される。
【００４１】
ステップＳ１７の圏外移行処理においては、ＩＭＴ／ＰＤＣで規定されており、周波数を交互にＲＳＳＩスキャンを行ってＢＣＣＨの検索を行うために、連続的に受信動作を行う。
【００４２】
このように、本実施例では、ＩＭＴ、ＰＤＣのＢＣＣＨの同期をとり、ＢＣＣＨの送信配置の制御を行い、ＢＣＣＨの送信タイミングを端末に通知することによって、端末が各システムに切替える時間を短縮することができ、操作性の向上を図ることができる。また、本実施例では、チャネルスキャン処理後のＢＣＣＨ取得のために連続受信処理を省略することができ、消費電流を削減することができる。
【００４３】
さらに、本実施例では、ＢＣＣＨの送信タイミングの相対値をそれぞれのＢＳ６１〜６３，７１〜７３で共有し、スキャンの省略に追加して、ＢＣＣＨの検索時間を省略することができる。これによって、本実施例では、各システムの切替えの高速化及び処理時間の短縮を図ることができる。
【００４４】
【発明の効果】
以上説明したように本発明は、ＰＤＣ無線信号及びＩＭＴ無線信号の送受信を行うＰＤＣ無線機及びＩＭＴ無線機を含み、ＰＤＣ無線機及びＩＭＴ無線機を切替えて通信を行う携帯電話端末において、自端末が在圏するセルから隣接セルへの切替え時にＰＤＣ無線信号及びＩＭＴ無線信号の待ち受け状態で自端末が在圏するセルの制御周波数の電界レベルを測定し、その電界レベルの測定でレベル劣化が検出された時に当該セルのシステム制御情報の報知に使用する下りチャネルであるＢＣＣＨを受信し、この受信したＢＣＣＨから隣接セルのＢＣＣＨ送信周波数及びＰＤＣ無線システムのＢＣＣＨの送信タイミングとＩＭＴ無線システムのＢＣＣＨの送信タイミングとの相対値を示す相対タイミングを取得し、その取得した隣接セルのＢＣＣＨ送信周波数及び相対タイミングを基にＰＤＣ無線機及びＩＭＴ無線機の切替えを行うことによって、各システムに切替える時間の短縮と操作性の向上とを図ることができ、消費電流を削減することができるという効果が得られる。
【図面の簡単な説明】
【図１】本発明の一実施例によるデュアルバンド携帯電話システムの構成を示すブロック図である。
【図２】本発明の一実施例によるデュアルバンド携帯電話端末の構成を示すブロック図である。
【図３】ＢＣＣＨの配置タイミングを示す図である。
【図４】本発明の一実施例によるＰＤＣ無線システム及びＩＭＴ無線システムの切替え処理を示すフローチャートである。
【図５】本発明の一実施例によるＰＤＣ無線システム及びＩＭＴ無線システムの切替え処理を示すフローチャートである。
【符号の説明】
１  ＰＤＣ  ＭＳＣ１
２  ＩＭＴ／ＰＤＣ  ＢＣＣＨ制御部
３  ＩＭＴ  ＲＮＣ
４  ＩＭＴ  ＭＳＣ
５  ＩＭＴ  ＰＤＳＮ
１１  ＰＤＣ無線部
１２  ＩＭＴ無線部
１３  送受信タイミング制御部
１４  ＰＤＣ無線プロトコル制御部
１５  ＩＭＴ無線制御プロトコル制御部
１６  ＭＭＩ制御部
１７  記録媒体
６１〜６３，
７１〜７３  ＢＳ
１００  ＰＤＣ網
２００  ＩＭＴ網
【図１】
2004159115.tif 000003
【図２】
2004159115.tif 000004
【図３】
2004159115.tif 000005
【図４】
2004159115.tif 000006
【図５】
2004159115.tif 000007